(57)【要約】【課題】  従来、同形、同色等の被服は、簡単に区別ができない。他人のものを着用することは間々あり、この場合は、間違えた本人及び／又は間違えられた他人の双方にとって不愉快であるので、その改良が望まれる処である。また他の各種の問題及び／又は由々しき状況の発生では、当然、その改良が望まれることは必須である。【構成】本発明は、被服の身頃裾部、襟元部、開放部、端部等の着用時に表面に露出しない部位に、自己の被服の識別、被服の寸法の識別等の少なくとも一つの要素を識別するための識別片を複数付設し、各識別片中で不要とする識別片を剥離し、少なくとも一つの識別を可能とした識別片付き被服である。これにより、自己の被服を簡易に識別できる。【選択図】    図１
0003104410.tif 000002
【実用新案登録請求の範囲】
【請求項１】
被服の身頃裾部、襟元部、開放部、端部等の着用時に表面に露出しない部位に、自己の被服の識別、季節の被服の識別、又は被服の寸法の識別等の少なくとも一つの要素を識別するための識別片を複数付設し、この各識別片中で不要とする識別片を剥離し、少なくとも一つの識別を可能とした識別片付き被服。
【請求項２】
請求項１に記載の識別片を積層状、短冊状、縦列状、横列状の如く、列設し、前記識別片にミシン目、切欠き片、切取り糸等の剥離手段を付設した識別片付き被服。
【請求項３】
請求項１に記載の識別片は、色、記号、キャラクター、文字等の識別手段である識別片付き被服。
【請求項４】
請求項１に記載の被服は、イブニングドレス、学生服、子供服、作業服、ジャケット、ジョギングパンツ、スウェットパンツ、スーツ、スカート、スキージャケット、スキーズボン、ズボン、スモック、礼服等の洋服類、またオーバーコート、トッパーコート、マント、レインコート等のコート類、カーディガン、セーター、チョッキ等のセーター類、又は開襟シャツ、カフス、カラー、スポーツシャツ、ブラウス、ポロシャツ、ワイシャツ等のシャツ類、またナイトガウン、ネグリジェ、寝巻き、パジャマ、バスローブ等の寝巻き類、またキャミソール、コルセット、コンビネーション、シャツ、シュミーズ、ズボン下、スリップ、パンツ、ブラジャー、ペチコート等の下着類、水泳着、水泳帽、又は帯、帯揚げ、帯揚げしん、腰紐、腰巻、襦袢、だて締め、だて巻き、長着、羽織、羽織紐、袴、半襟等の和服類、またエプロン、靴下、スカーフ、手袋、マフラー、帽子等である識別片付き被服。
【考案の詳細な説明】
【技術分野】
【０００１】
本考案は、自己の被服の識別、季節の被服の識別、又は被服の寸法の識別等の如く、何れか一つの要素を識別するための識別片を付設した識別片付き被服に関する。
【背景技術】
【０００２】
周知の如く、被服は他人のものを着用するのは、間違えた本人（者）及び／又は間違えられた他人の双方にとって不愉快である。またこのような場合には、喧嘩の要因なること、また稀には事件発生の要因となり兼ねないこと等の如く、由々しき状況もあり得る。そして、また出勤、登校、集合等の急ぎの際における間違いは大いに困る。しかし、現実には、家庭や寮生活、又は合宿等の集団生活において、自己の被服と、他人（兄弟・姉妹・夫婦）の被服とを間違うこと（混同すること）が間々発生する。
【０００３】
このような状況を回避する方法は、自己の被服と、他人の被服とを混同しないことである。しかしながら、前述の如く、急ぎの際、家庭や寮生活等の如く集団生活では、間々発生することから、その解決策が望まれる。
【０００４】
そして、視点を変えると、生活上での必要不可欠な場合もあり得る。例えば、幼児、老人等に知識の欠如があるような場合には、特に前述と同様な解決策が必要であり、ことに老人の場合には、尊厳又は人格確保等の面から必要不可欠と考えられる。
【０００５】
尚、色分けにより、表裏を区別することを意図する考案として、実開平１−１１０２０２号の「表裏判別縫合下着」がある（文献（１）とする）。この考案は、下着類において、下糸、その他裏糸（裏面部分に使用する糸）の全部又は一部を、布地の色と色違いにすることで、表裏の判別を容易にすることを意図する。
【０００６】
【特許文献１】実開平１−１１０２０２号
【考案の開示】
【考案が解決しようとする課題】
【０００７】
前述の如く、同形、同色等の被服は、簡単に区別ができないことから、他人のものを着用することが間々あり得る。この場合は、間違えた本人及び／又は間違えられた他人の双方にとって不愉快であるので、その改良が望まれる処である。また他の各種の問題及び／又は由々しき状況では、当然、その改良が望まれることは必須である。
【０００８】
また前記文献（１）は、表裏の判別を、色違いを利用して行うことは有益である。しかし、この考案は、単に表裏の識別であり、この識別以外の効果は期待できないので、片手落ちと考えられる。また色を個別に変更する際、製造過程より行う必要があることから、購入者が種々細工するには、問題がある。従って、本考案が意図する内容、即ち、各人が個別に、色分けを利用して区別し、もって、同形、同色等の被服を区別することは、原則として不可能に近いところであり、問題がある。
【課題を解決するための手段】
【０００９】
請求項１の考案は、同形、同色等の被服を、識別片を利用して簡易、かつ確実に区別し、各種のトラブル（間違いに起因する不愉快な感覚、喧嘩、又は事件発生の要因となり兼ねない由々しき状況を招来する等のトラブル）の解消を図ること、又は幼児・痴呆老人又は障害者の補助を図り、日常生活に支障がないようにすること等を意図する。また同形、同色等の被服を、識別片を利用して簡易、かつ確実に区別し、家庭や寮生活等の集団生活で間々発生するトラブルの解消と、この種のトラブルで発生する生活上の略全ての問題を解消すること等を意図する。
【００１０】
請求項１は、被服の身頃裾部、襟元部、開放部、端部等の着用時に表面に露出しない部位に、自己の被服の識別、季節の被服の識別、又は被服の寸法の識別等の少なくとも一つの要素を識別するための識別片を複数付設し、この各識別片中で不要とする識別片を剥離し、少なくとも一つの識別を可能とした識別片付き被服である。
【００１１】
請求項２の考案は、請求項１の目的を達成すること、またこの目的を達成するのに最適な識別片を提供すること等を意図する。
【００１２】
請求項２は、請求項１に記載の識別片を積層状、短冊状、縦列状、横列状の如く、列設し、前記識別片にミシン目、切欠き片、切取り糸等の剥離手段を付設した識別片付き被服である。
【００１３】
請求項３の考案は、請求項１の目的を達成すること、またこの目的を達成するのに最適で、かつ利用し易い識別片を提供すること等を意図する。
【００１４】
請求項３は、請求項１に記載の識別片が、色、記号、キャラクター、文字等の識別手段とする識別片付き被服である。
【００１５】
請求項４の考案は、請求項１の目的を達成すること、またこの目的を適用できる被服を特定すること等を意図する。
【００１６】
請求項４は、請求項１に記載の被服を、イブニングドレス、学生服、子供服、作業服、ジャケット、ジョギングパンツ、スウェットパンツ、スーツ、スカート、スキージャケット、スキーズボン、ズボン、スモック、礼服等の洋服類、またオーバーコート、トッパーコート、マント、レインコート等のコート類、カーディガン、セーター、チョッキ等のセーター類、又は開襟シャツ、カフス、カラー、スポーツシャツ、ブラウス、ポロシャツ、ワイシャツ等のシャツ類、またナイトガウン、ネグリジェ、寝巻き、パジャマ、バスローブ等の寝巻き類、またキャミソール、コルセット、コンビネーション、シャツ、シュミーズ、ズボン下、スリップ、パンツ、ブラジャー、ペチコート等の下着類、水泳着、水泳帽、又は帯、帯揚げ、帯揚げしん、腰紐、腰巻、襦袢、だて締め、だて巻き、長着、羽織、羽織紐、袴、半襟等の和服類、またエプロン、靴下、スカーフ、手袋、マフラー、帽子等とする識別片付き被服である。
【考案の効果】
【００１７】
請求項１の考案は、被服の身頃裾部、襟元部、開放部、端部等の着用時に表面に露出しない部位に、自己の被服の識別、季節の被服の識別、又は被服の寸法の識別等の少なくとも一つの要素を識別するための識別片を複数付設し、この各識別片中で不要とする識別片を剥離し、前記少なくとも一つの識別を可能とした識別片付き被服である。
【００１８】
従って、請求項１は、同形、同色等の被服を、識別片を利用して簡易、かつ確実に区別し、各種のトラブル（間違いに起因する不愉快な感覚、喧嘩、又は事件発生の要因となり兼ねない由々しき状況を招来する等のトラブル）の解消が図れること、又は幼児・痴呆老人又は障害者の補助を図り、日常生活に支障がないようにできること等の特徴がある。また同形、同色等の被服を、識別片を利用して簡易、かつ確実に区別し、家庭とか、寮生活等の集団生活で間々発生するトラブルの解消が図れること、またこの種のトラブルで発生する生活上の略全ての問題を解消できること等の特徴がある。また気候条件に適した被服を確実に選択して、健康を保持できること等の実益がある。
【００１９】
請求項２の考案は、請求項１に記載の識別片を積層状、短冊状、縦列状、横列状の如く、列設し、識別片にミシン目、切欠き片、切取り糸等の剥離手段を付設した識別片付き被服である。
【００２０】
従って、請求項２は、請求項１の目的を達成できること、またこの目的を達成するのに最適な識別片を提供できること等の特徴がある。
【００２１】
請求項３の考案は、請求項１に記載の識別片が、色、記号、キャラクター、文字等の識別手段とする識別片付き被服である。
【００２２】
従って、請求項３は、請求項１の目的を達成できること、またこの目的を達成するのに最適で、かつ利用し易い識別片を提供できること等の特徴がある。
【００２３】
請求項４の考案は、請求項１に記載の被服を、イブニングドレス、学生服、子供服、作業服、ジャケット、ジョギングパンツ、スウェットパンツ、スーツ、スカート、スキージャケット、スキーズボン、ズボン、スモック、礼服等の洋服類、またオーバーコート、トッパーコート、マント、レインコート等のコート類、カーディガン、セーター、チョッキ等のセーター類、又は開襟シャツ、カフス、カラー、スポーツシャツ、ブラウス、ポロシャツ、ワイシャツ等のシャツ類、またナイトガウン、ネグリジェ、寝巻き、パジャマ、バスローブ等の寝巻き類、またキャミソール、コルセット、コンビネーション、シャツ、シュミーズ、ズボン下、スリップ、パンツ、ブラジャー、ペチコート等の下着類、水泳着、水泳帽、又は帯、帯揚げ、帯揚げしん、腰紐、腰巻、襦袢、だて締め、だて巻き、長着、羽織、羽織紐、袴、半襟等の和服類、またエプロン、靴下、スカーフ、手袋、マフラー、帽子等とする識別片付き被服である。
【００２４】
従って、請求項４は、請求項１の目的を達成できること、またこの目的を適用できる被服を特定できること等の特徴がある。
【考案を実施するための最良の形態】
【００２５】
以下、本考案の実施の態様（形態）を説明する。
【００２６】
図面は、本考案の被服の一例を示している。そして、この被服は、例えば、：  洋服類のイブニングドレス、学生服、子供服、作業服、ジャケット、ジョギングパンツ、スウェットパンツ、スーツ、スカート、スキージャケット、スキーズボン、ズボン、スモック、礼服等と、：  コート類のオーバーコート、トッパーコート、マント、レインコート等と、：  セーター類のカーディガン、セーター、チョッキ等と、：  シャツ類の開襟シャツ、カフス、カラー、スポーツシャツ、ブラウス、ポロシャツ、ワイシャツ等と、：  寝巻き類のナイトガウン、ネグリジェ、寝巻き、パジャマ、バスローブ等と、：  下着類のキャミソール、コルセット、コンビネーション、シャツ、シュミーズ、ズボン下、スリップ、パンツ、ブラジャー、ペチコート等と、  ：  水泳着と、：  水泳帽と、：  和服類の帯、帯揚げ、帯揚げしん、腰紐、腰巻、襦袢、だて締め、だて巻き、長着、羽織、羽織紐、袴、半襟等と、：  エプロンと、：  靴下と、：  スカーフと、：  手袋と、：  マフラーと、：  帽子等である。そして、この中で、図１〜図８は、半袖下着１を、図９〜図１４はパンツ２を、図１５、図１６はカーディガン３を、図１７、図１８は柔道着４を、図１９、図２０は手袋５を、図２１、図２２はマフラー６を、図２３、図２４は傘７をそれぞれ一例として説明する。
【００２７】
この図１〜図８は、半袖下着１（同色・近似の色、形、同寸等の均等な物品を云う。以下同じ）においては、タッグ１０を識別片Ａとする例であり、このタッグ１０は、身頃裾部、襟元部、開放部、端部等の着用時に表面に露出しない部位に、タッグ１０を識別片Ａとして設ける。そして、この識別片Ａを設ける方法は、ピンク１０ａの識別片Ａ（以下、ピンク１０ａとする）、茶１０ｂの識別片Ａ（以下、茶１０ｂとする）、白１０ｃの識別片Ａ（以下、白１０ｃとする）、紺１０ｄの識別片Ａ（以下、紺１０ｄとする）、赤１０ｅ（以下、赤１０ｅとする）の識別片Ａとする（一例である）。このピンク１０ａは長男、茶１０ｂは次男、白１０ｃは三男、紺１０ｄは四男、赤１０ｅは五男等として識別する。そして、着用する本人が該当するタッグ１０のみを残す方法である。例えば、図１〜図４に示した長男であればピンク１０ａのタッグ１０のみを残して、他の茶１０ｂ、白１０ｃ、紺１０ｄ、赤１０ｅをカットする。これにより、次男、三男等間違えることなく、各人の半袖下着１を選択できる。また図５〜図８に示した次男であれば茶１０ｂのタッグ１０のみを残して、他のピンク１０ａ、白１０ｃ、紺１０ｄ、赤１０ｅをカットする。その特徴は前述の例に準ずる。他の場合もこれらに準ずる。尚、カットの例の中には、タッグ１０の切断を行わず一時的に隠蔽する方法もあり得る。例えば、長男用のピンク１０ａを使用する際に、他の次男用の茶１０ｂ、また三男用の白１０ｃ等を保管する。そして、例えば、次男が成長して、旧長男用の半袖下着１を着用する場合には、隠蔽した次男用の茶１０ｂを取出し、他の白１０ｃ、紺１０ｄ、赤１０ｅを隠蔽するか、場合によりピンク１０ａを隠蔽するかの手段を利用し、この茶１０ｂを識別片Ａとして有効利用することが望ましい。この茶１０ｂが識別片Ａとしての特徴を備えていることは前述の例と同じである。そして、この例における隠蔽を利用した構成、特徴は他の場合もこれらに準ずる。尚、この半袖下着１は、混同が発生し易い同色・近似の色、形、同寸等の均等な形態を対象とするが、各種の状況・人の資質・明かり等を考慮した場合には、限定されない。さらに識別片Ａは、図示しないが色に限定されず、大きさ、記号、文字、点字等の手段の例もあり得る。そして、この識別を利用することで、気候条件、体の状態、又は作業環境等に対応した被服を瞬時及び／又は確実に選択できることと、体調維持、治癒等に役立てえること等の実益を有する（他の例も同じ）。
【００２８】
この図９〜図１４は、パンツ２（ブリーフ）においては、ひも１１を識別片Ａとする例であり、このひも１１を、前後側上部、開放部、端部等の着用時に表面に露出しない部位、又は原則として人目につかない着用であるので外側の適所・縫目等へ付設することも可能である（他の例も同じ）。この一例では、識別片Ａはピンク１０ａ、茶１０ｂ、白１０ｃ、紺１０ｄとする。このピンク１０ａは長男、茶１０ｂは次男、白１０ｃは三男、紺１０ｄは四男、赤１０ｅは五男として識別する。そして、着用する本人が該当するタッグ１０のみを残す方法である。例えば、図９〜図１１に示した長男であればピンク１０ａのタッグ１０のみを残して、他の茶１０ｂ、白１０ｃ、紺１０ｄ、赤１０ｅをカットする。これにより、次男、三男等間違えることなく、各人のパンツ２を選択できる。また図１２〜図１４に示した次男であれば茶１０ｂのタッグ１０のみを残して、他のピンク１０ａ、白１０ｃ、紺１０ｄ、赤１０ｅをカットする。その特徴は前述の例に準ずる。他の場合もこれらに準ずる。尚、カットの例の中には、タッグ１０の切断を行わず一時的に隠蔽する方法もあり得る。例えば、長男用のピンク１０ａを使用する際に、他の次男用の茶１０ｂ、また三男用の白１０ｃ等を保管する。そして、例えば、次男が成長して、旧長男用のパンツ２を着用する場合には、隠蔽した次男用の茶１０ｂを取出し、他の白１０ｃ、紺１０ｄ、赤１０ｅを隠蔽するか、場合によりピンク１０ａを隠蔽するかの手段を利用し、この茶１０ｂを識別片Ａとして有効利用することが望ましい。この茶１０ｂが識別片Ａとしての特徴を備えていることは前述の例と同じである。そして、この例における隠蔽を利用した構成、特徴は他の場合もこれらに準ずる。
【００２９】
この図１５、図１６は、カーディガン３においては、タッグ１０を識別片Ａとする例であり、このタッグ１０を設ける箇所は、前述の通りである。その一例では、識別片Ａを、ピンク１０ａ、茶１０ｂ、白１０ｃ、紺１０ｄ、赤１０ｅとする。このピンク１０ａは長男、茶１０ｂは次男、白１０ｃは三男、紺１０ｄは四男、赤１０ｅは五男として識別する。その構成・使用の方法等は前述・後述等の各例に準ずる。そして、この例でも、寸法（大きさ）の識別を、当該タッグ１０を利用して行う際は、大きい場合には、混同が発生する確立は少ないが、小さい場合には、混同が起こり易いので、有意義である。
【００３０】
この図１７、図１８は、柔道着４においては、タッグ１０を識別片Ａとする例であり、このタッグ１０を設ける箇所は、身頃裾部、襟元部、開放部、端部等の着用時に表面に露出しない部位、又は原則として人目につく箇所でも問題はないので外側の適所・縫目等でも可能である（他の例も同じ）。この一例では、識別片Ａを、ピンク１０ａ、茶１０ｂ、白１０ｃ、紺１０ｄとする。このピンク１０ａは長男、茶１０ｂは次男、白１０ｃは三男、紺１０ｄは四男、赤１０ｅは五男として識別する。またこの種の柔道着４は、他の例として学校、塾等の集団、職務・教務・鍛練等の状況においては、集団で共用することがあるので、この場合には、寸法による識別（区別）、例えば、他人の柔道着４と本人の柔道着４との識別、敵の柔道着４か味方の柔道着４かの識別、また寸法による識別（区別）等としての利用もあり得る（他の各例も同じ）。尚、その構成・使用の方法等は前述等の各例に準ずる。この寸法（大きさ）の識別を、当該タッグ１０を利用して行う際は、大きい場合には、混同が発生する確立は少ないが、小さい場合には、混同が起こり易いので、有意義である。
【００３１】
この図１９、図２０は、手袋５においては、タッグ１０を識別片Ａとする例であり、このタッグ１０を設ける箇所は、手差込み口の内外側、外側の適所・縫目及び／又はその近傍等の箇所に設ける。そして、この一例では、識別片Ａを、ピンク１０ａ、茶１０ｂ、白１０ｃ、紺１０ｄとする。このピンク１０ａは長男、茶１０ｂは次男、白１０ｃは三男、紺１０ｄは四男、赤１０ｅは五男として識別する。そして、この手袋５の例では、共用する場合もあり得るので、例えば、寸法（大きさ）の識別を、当該タッグ１０を利用して行う際は、大きい場合には、混同が発生する確立は少ないが、小さい場合には、混同が起こり易いので、有意義である。その構成・使用の方法等は前述等の各例に準ずる。
【００３２】
また図２１、図２２は、マフラー６においては、タッグ１０を識別片Ａとする例であり、このタッグ１０を、内外側の適所・縫目及び／又はその近傍等の箇所に設ける。そして、この一例では、識別片Ａは、ピンク１０ａ、茶１０ｂ、白１０ｃ、紺１０ｄ、赤１０ｅとする。このピンク１０ａは長男、茶１０ｂは次男、白１０ｃは三男、紺１０ｄは四男、赤１０ｅは五男として識別する。そして、このマフラー６の例では、共用する場合もあり得るので、例えば、寸法（大きさ）の識別を、当該タッグ１０を利用して行う際は、大きい場合には、混同が発生する確立は少ないが、小さい場合には、混同が起こり易いので有意義であること、又は大きすぎる場合には、危険を伴うので、安全面、防寒面等を考慮したときには有益であること等の特徴が考えられる。その構成・使用の方法等は前述等の各例に準ずる。
【００３３】
また図２３、図２４は、傘７においては、タッグ１０を識別片Ａとする例であり、このタッグ１０を、内外側の適所・端部・縫目及び／又はその近傍等の箇所に設ける。そして、この一例では、識別片Ａを、ピンク１０ａ、茶１０ｂ、白１０ｃ、紺１０ｄ、赤１０ｅとする。このピンク１０ａは長男、茶１０ｂは次男、白１０ｃは三男、紺１０ｄは四男、赤１０ｅは五男として識別する。そして、この傘７の例では、共用する場合もあり得るので、例えば、寸法（大きさ）の識別を、当該タッグ１０を利用して行う際は、大きい場合には、混同が発生する確立は少ないが、小さい場合には、混同が起こり易いので有意義であること、又は大きすぎる場合には、危険を伴うので、安全面、確実な支持等を考慮したときには有益であること等の特徴が考えられる。その構成・使用の方法等は前述等の各例に準ずる。
【図面の簡単な説明】
【００３４】
【図１】半袖下着に識別片を設けた一例であり、この識別片を理解できる状態に欠截して示した正面図
【図２】図１の識別片を拡大して示した正面図
【図３】図１の識別片を拡大して示した断面図
【図４】図１の識別片の中で必要とする識別片を拡大して示した断面図
【図５】他の半袖下着に識別片を設けた一例であり、この識別片を理解できる状態に欠截して示した正面図
【図６】図５の識別片を拡大して示した正面図
【図７】図５の識別片を拡大して示した断面図
【図８】図５の識別片の中で必要とする識別片を拡大して示した断面図
【図９】パンツに識別片を設けた一例であり、この識別片を理解できる状態に欠截して示した正面図
【図１０】図９の識別片を拡大して示した正面図
【図１１】図９の識別片の中で必要とする識別片を拡大して示した断面図
【図１２】他のパンツに識別片を設けた一例であり、この識別片を理解できる状態に欠截して示した正面図
【図１３】図１２の識別片を拡大して示した正面図
【図１４】図１２の識別片の中で必要とする識別片を拡大して示した断面図
【図１５】カーディガンに識別片を設けた一例であり、この識別片を理解できる状態に欠截して示した正面図
【図１６】他のカーディガンに識別片を設けた一例であり、この識別片を理解できる状態に欠截して示した正面図
【図１７】柔道着に識別片を設けた一例であり、この識別片を理解できる状態に欠截して示した正面図
【図１８】他の柔道着に識別片を設けた一例であり、この識別片を理解できる状態に欠截して示した正面図
【図１９】手袋に識別片を設けた一例であり、この識別片を理解できる状態に欠截して示した正面図
【図２０】他の手袋に識別片を設けた一例であり、この識別片を理解できる状態に欠截して示した正面図
【図２１】マフラーに識別片を設けた一例であり、この識別片を理解できる状態に欠截して示した正面図
【図２２】他のマフラーに識別片を設けた一例であり、この識別片を理解できる状態に欠截して示した正面図
【図２３】傘に識別片を設けた一例であり、この識別片を理解できる状態に欠截して示した正面図
【図２４】他の傘に識別片を設けた一例であり、この識別片を理解できる状態に欠截して示した正面図
【符号の説明】
【００３５】
１         半袖下着
２         パンツ
３         カーディガン
４         柔道着
５         手袋
６         マフラー
７         傘
１０       タッグ
１０ａ     ピンク
１０ｂ     茶
１０ｃ     白
１０ｄ     紺
１０ｅ     赤
１１       ひも
Ａ         識別片
【図１】
0003104410.tif 000003
【図２】
0003104410.tif 000004
【図３】
0003104410.tif 000005
【図４】
0003104410.tif 000006
【図５】
0003104410.tif 000007
【図６】
0003104410.tif 000008
【図７】
0003104410.tif 000009
【図８】
0003104410.tif 000010
【図９】
0003104410.tif 000011
【図１０】
0003104410.tif 000012
【図１１】
0003104410.tif 000013
【図１２】
0003104410.tif 000014
【図１３】
0003104410.tif 000015
【図１４】
0003104410.tif 000016
【図１５】
0003104410.tif 000017
【図１６】
0003104410.tif 000018
【図１７】
0003104410.tif 000019
【図１８】
0003104410.tif 000020
【図１９】
0003104410.tif 000021
【図２０】
0003104410.tif 000022
【図２１】
0003104410.tif 000023
【図２２】
0003104410.tif 000024
【図２３】
0003104410.tif 000025
【図２４】
0003104410.tif 000026